(57)【要約】【課題】  筒状体の両端を閉塞して各種物品を収納するようにした包装容器において、筒状体の両端の閉塞体について、簡単な構造で確実に係止し、かつ、着脱動作を容易にした包装容器を提案する【解決手段】  筒状に形成した収納胴部と、この収納胴部の両端開口部分をそれぞれ閉塞可能な蓋体からなる収納容器であって、前記蓋体は、前記収納胴部の断面形状とほぼ同一の形状の底板を有する基体に、前記収納胴部の内側に嵌入する嵌入部と、前記収納胴部の外側に重なる折曲自在な挟持片とを設け、前記嵌入部と前記挟持片で収納胴部を挟持して前記収納胴部の開口部分に係着するようにして包装容器を構成する。【選択図】  図１
2006103779.tif 000002
【特許請求の範囲】
【請求項１】
筒状に形成した収納胴部と、この収納胴部の両端開口部分をそれぞれ閉塞可能な蓋体からなる収納容器であって、前記蓋体は、前記収納胴部の断面形状とほぼ同一の形状の底板を有する基体に、前記収納胴部の内側に嵌入する嵌入部と、前記収納胴部の外側に重なる折曲自在な挟持片とを設け、前記嵌入部と前記挟持片で収納胴部を挟持して前記収納胴部の開口部分に係着するようにしたことを特徴とする包装容器。
【請求項２】
上記収納胴部は互いに対向する２面を平面とし、他の対向する２面を外側に膨出する湾曲面とした筒状とし、その平面の両端近傍に通孔を設ける一方、上記蓋体の嵌入部は、前記平面と対応する平面部と、前記湾曲面と対応する湾曲部を有し、前記平面部には前記収納胴部の平面に設けた通孔と対応する位置に係止孔を設け、また、上記蓋体の基体に前記収納胴部の平面に重なるように折曲自在に設けた挟持片の前記平面部の係止孔と対応する位置には係止突起を設け、前記係止突起が収納胴部の通孔を貫通して前記係止孔に嵌入係止されて蓋体が収納胴部に係着するようにした請求項１記載の包装容器。
【請求項３】
上記蓋体の一方には、さらに起立可能な吊り環を設けた請求項１又は請求項２記載の包装容器。
【発明の詳細な説明】
【技術分野】
【０００１】
この発明は、筒状体の両端を閉塞して各種物品を収納するようにした包装容器に関するものである。
【背景技術】
【０００２】
円筒又は多角形の筒状体の両端開口を適宜な閉塞体で閉止して各種物品を収納するようにした包装容器は従来から知られている。例えば、特許文献１には、平面四角形以上の多角形状からなり、外側および内側に当該多角形に対応する複数の側胴面を備える筒状体の底部に、底面材を取着自在とし、上方を開口部としてなる箱本体と、箱本体の上方の開口部を閉塞可能とする蓋体と、を備えてなる組立型箱状容器が開示されている。
【０００３】
また、特許文献２には、略円筒状に形成された胴体部と、前記胴体部の一方を閉口するために着脱自在に配置された底板部と、前記底板部と対向して配置されるとともに前記胴体部の他方を閉口するために着脱可能に配置された蓋部とを有するパッケージが開示されている。
【０００４】
【特許文献１】特開平１１−１５７５２８号公報
【特許文献２】特開２００２−２１１５３５号公報
【発明の開示】
【発明が解決しようとする課題】
【０００５】
上述したような容器は、通常、筒状体の一端は底板を固着して閉止し、他端には着脱自在の蓋を嵌着することが多い。また、その場合、例えば特許文献１では、蓋体は嵌着するだけであって確実な係止手段は採用されていない。一方、特許文献２に記載のパッケージは、端部に内側に折れ曲がるストッパ部を形成して蓋を係止するようにしているが、その構造上、却って蓋の着脱は容易ではない。
【０００６】
本発明は、かかる種類の包装容器において、筒状体の両端の閉塞体について、簡単な構造で確実に係止し、かつ、着脱動作を容易にした包装容器を提案するものである。
【課題を解決するための手段】
【０００７】
上述した課題を解決するため、本発明は、筒状に形成した収納胴部と、この収納胴部の両端開口部分をそれぞれ閉塞可能な蓋体からなる収納容器であって、前記蓋体は、前記収納胴部の断面形状とほぼ同一の形状の底板を有する基体に、前記収納胴部の内側に嵌入する嵌入部と、前記収納胴部の外側に重なる折曲自在な挟持片とを設け、前記嵌入部と前記挟持片で収納胴部を挟持して前記収納胴部の開口部分に係着するようにして包装容器を構成するという手段を採用した。
【０００８】
また、具体的に、上記収納胴部は互いに対向する２面を平面とし、他の対向する２面を外側に膨出する湾曲面とした筒状とし、その平面の両端近傍に通孔を設ける一方、上記蓋体の嵌入部は、前記平面と対応する平面部と、前記湾曲面と対応する湾曲部を有し、前記平面部には前記収納胴部の平面に設けた通孔と対応する位置に係止孔を設け、また、上記蓋体の基体に前記収納胴部の平面に重なるように折曲自在に設けた挟持片の前記平面部の係止孔と対応する位置には係止突起を設け、前記係止突起が収納胴部の通孔を貫通して前記係止孔に嵌入係止されて蓋体が収納胴部に係着するようにするという手段を採用した。
【０００９】
さらに、上記蓋体の一方には、さらに起立可能な吊り環を設けるという手段を採用した。
【発明の効果】
【００１０】
上記構成に係る包装容器は、筒状の収納胴部の両端開口部分に嵌入部と挟持片を有する蓋体を係着して該開口部分を閉塞するようにしたものであるので、該開口部を確実に閉止することが可能であると共に、簡単に係着を解除して開蓋することが可能である。
【００１１】
特に、挟持片に設けた係止突起を収納胴部の通孔を通して係止孔に嵌入係止するようにしているので、収納胴部を嵌入部と挟持片で確実に挟持することになり、簡単かつ確実に蓋体を収納胴部に、係着し又は解除できる。
【００１２】
また、収納胴部を透明資材で構成すれば、展示状態で内容物を視認できると共に、吊り環を利用して陳列棚のフックに吊り下げれば、包装容器ごと商品を展示できる。
【００１３】
さらに、収納胴部は筒状に形成しているので、押圧して折り畳むことにより平面状にすることができるから、保管や輸送の際に要するスペースを小さくすることができる。また、容器を廃棄する際にも、小さく折り畳んで廃棄することができる。
【発明を実施するための最良の形態】
【００１４】
以下、本発明に係る包装容器の好ましい実施形態を図面に従って説明する。図１は、包装容器の一例を示す分解斜視図であり、図２は蓋体を嵌着した状態を示す説明断面図である。
【００１５】
図において、１は筒状の収納胴部であって、例えば、所定幅（高さ）の透明合成樹脂製シートの一端を糊代部１ｃを介して他端に貼着して筒状に形成したものである。この収納胴部１は、四角柱の互いに対向する２面を平面１ａ、１ａとし、他の対向する２面を外側に膨出する湾曲面１ｂ、１ｂとして、その断面形状を図示するような略楕円形状としたものである。但し、この形状に限定するものではなく、円形或いは多角形状としてもよい。また、必ずしも透明合成樹脂資材で構成するものでなくてもよい。要するに、筒体内に物品が収納可能であればその形状や資材を特に限定するものではない。次に、２、２、３、３、は、それぞれ上記筒状胴部１の両端近傍に穿設した一対の通孔で、この通孔を介して下述する蓋体を係着し、収納胴部１の両端開口を閉塞するようにしたものである。
【００１６】
続いて、４、４は上記収納胴部１の両端開口部分にそれぞれ係着して該部を閉塞する蓋体であり、両者は基本的に同一形状である。この蓋体４は、上記収納胴部１の断面形状とほぼ同一の形状の底板５ａを有する基体５に対し、上記収納胴部１の内側に密に嵌入可能な筒形形状の嵌入部６を延設した態様であり、該嵌入部６は、上記収納胴部１の平面部分１ａと対応する平面部６ａ、６ａと、湾曲面部分１ｂと対応する湾曲部６ｂ、６ｂとからなる。そして前記平面部６ａにはそれぞれ上記収納胴部１に嵌入した状態で上記通孔２、３と対応する位置に係止孔６ｃ、６ｃを設けている。また、上記基体５の上記平面部６ａと連続する部分には、当該平面部６ａと重なる挟持片７を折曲自在に連設している。この挟持片７には上記平面部６ａに設けた係止孔６ｃと対応する位置に係止突起７ａを設けている。即ち、図２に示すように、蓋体４の嵌入部６を収納胴部１の内側に密に嵌入すると、収納同部１に設けた通孔３、平面部６ａに設けた係止孔６ｃ、挟持片７に設けた係止突起７ａの位置が一致し、係止突起７ａが通孔３を通って係止孔６ｃに嵌入係止され、平面部６ａと挟持片７で収納胴部１を挟持し、蓋体４が収納胴部１の開口部分を確実に閉塞することができる。
【００１７】
次に、８は一方の蓋体４に必要に応じて設ける吊り環であって、基体５の底板５ａの一部に起立可能に設けたものである。この吊り環８を利用して陳列棚のフック等に吊り下げることにより、商品を展示することができる。
【００１８】
上記構成の包装容器は、収納胴部に物品を収納した後、上下開口部分を蓋体を嵌着して閉塞するものである。収納胴部を透明資材で構成することにより、そのまま展示しても物品が視認でき、また、吊り環を利用して吊り下げて展示することもできる。
【００１９】
また、収納胴部は筒状に形成しているので、容器組み立て前は押圧して折り畳み、平面状にすることが可能であり、保管や輸送の際のスペースを小さくすることができる。更に、容器使用後の廃棄の際も同様に、小さく折り畳んで廃棄することができる。
【００２０】
なお、上記実施形態では収納胴部の両端開口部を同じ蓋体で閉塞するようにしたが、これに代えて、一方の開口部は収納胴部の一部を延長して閉塞片を形成し、これを折曲して開口部を閉塞するようにしてもよい。
【図面の簡単な説明】
【００２１】
【図１】本発明に係る包装容器の実施形態の一例を示す分解斜視図である。
【図２】収納胴部に蓋体を嵌着した状態の説明断面図である
【符号の説明】
【００２２】
１    収納胴部
１ａ  平面
１ｂ  湾曲面
２    通孔
３    通孔
４    蓋体
５    基体
６    嵌入部
６ａ  平面部
６ｂ  湾曲部
６ｃ  係止孔
７    挟持片
７ａ  係止突起
８    吊り環
【図１】
2006103779.tif 000003
【図２】
2006103779.tif 000004